Podtech/llm-jp-corpus-v4-ja_patent huggingface dataset:
(57)【要約】【課題】  建物内等における通路が交差するコーナーにおいては、コーナー前方が死角となるため、通行人同士が出会い頭で衝突する危険性があったが、本発明は、コーナー死角部を透視可能にすることにより、安全を確保するものである。【解決手段】  平面プリズムと反射鏡を組み合わせることにより、コーナー死角からの光をコーナー手前の人に導くことによりコーナー死角部を透視可能とする。【選択図】図２
2008225426.tif 000002
【特許請求の範囲】
【請求項１】
複数の平面プリズムおよび反射鏡から構成され、一方の平面プリズムに導入された光が反射鏡で反射した後、他方の平面プリズムから外部に導出されることを特徴とするコーナー透視具。
【請求項２】
偏光角を位置によって調整した平面プリズムを使用したことを特徴とする請求項１記載のコーナー透視具
【発明の詳細な説明】
【技術分野】
【０００１】  本発明は、通路が交差するコーナーにおける前方死角部を透視可能にする、コーナー透視具に関するものである。
【背景技術】
【０００２】  従来、建物内等における通路が交差するコーナーにおいては、コーナー前方が死角となるため、通行人同士が出会い頭で衝突する危険性があった。
場所によっては、コーナーから離れた場所に反射鏡を配置することによって透視する設備が配置されている。
また、一部にはコーナーに単に反射鏡を配置する案も提案されているが、ほとんど実用化されていない。
他方、プラスチックの加工技術が進歩し、表面に凹凸を付けることにより薄い板をプリズムとして機能させる平面プリズムが容易に入手可能となっている。
【発明の開示】
【発明が解決しようとする課題】
【０００３】  従来の反射鏡に関しては、次のような欠点があった。
（イ）最も一般的な方法として想定される当該コーナーから離れた場所に反射鏡を配置する方法では、建物内部のように配置場所に制約がある場合には大きな反射鏡を配置することができないため、透視有効範囲が狭いことに加え、建物内部の景観を害するという問題があった。
（ロ）当該コーナーに反射鏡を配置する方法では、透視可能な領域が狭く実質的に有効な手段とならないという問題があった。
本発明は以上の問題を解決しようとするものである。
【課題を解決するための手段】
【０００４】  共通の長さを有する平面プリズム２−１、平面プリズム２−２および反射鏡３を基本構成要素とする。反射鏡３をコーナー角から若干離れ、コーナーに対向させて配置し、反射鏡３の左右対称位置に平面プリズム２−１と平面プリズム２−２を配置する。
平面プリズム２−１に入射した光は、プリズム機能により光路を変更された後に反射鏡３に到達し、反射鏡３で反射した後に平面プリズム２−２に導かれ、再度光路を変更された後に外部に導出される。
これによって、コーナー奥の通常は死角領域にある物体を反対側のコーナーから透視することが可能となる。
【発明の効果】
【０００５】  本発明は、主として建物内の歩行者用通路が交差するコーナーにおいて、通常は死角となるコーナー奥をコーナー手前から透視することを可能とするものである。
このため、コーナーにおける出会い頭の衝突を事前に回避することができるという安全上の効果が期待できる。
さらに、プリズムと反射鏡から構成されるために、コーナーに美しい飾りとなり、建物内の景観を改善するという効果も期待される。
【発明を実施するための最良の形態】
【０００６】  図１は、建物内の歩行者通路１１にあるコーナー１０に、本発明によるコーナー透視具１を設置した代表的な使用方法を示す透視具設置状況図である。コーナー透視具１は、歩行者の眼の高さに合わせ、且つ上下方向に一定の長さを有することが望ましい。
図２は、本発明によるコーナー透視具１の代表的な構成を示す一部切り欠きの基本構成図で、平面プリズム２−１、２−２、反射鏡３、固定具１２、および背面固定板１３から構成される。平面プリズム２−１および２−２は、平面鏡３の左右に対称的に配置され、上から見た配置は八の字のような構成となる。平面プリズム２−１、２−３および反射鏡３は、上下に配置する固定具１２とコーナーに接する背面固定版１３によって固定される。これらの組み合わせによって、内部に埃等が入らないようにすることが望ましい。
本コーナー透視具のコーナー壁面への取り付けには、固定具１２に設けた取り付けねじ穴、もしくは背面固定板１３に両面接着テープ等を利用して固定すること等種々の方法が考えられる。
図３は、コーナー透視具１の基本断面により機能を説明するための代表例の断面図であり、４は通行人の眼、５は通行人の眼４に至る光の経路を示している。
光の経路５に示すように、通行人の眼４と反対側のコーナー奥から来る光は、平面プリズム２−１で光路が変更された結果として反射鏡３に到達し、反射鏡３で反射した後に、平面プリズム２−２に到達し、再度光路が変更された後に通行人の眼４に至る。これによって、通行人は通常は透視できないコーナー奥の人影等を透視することができる。
図４は、平面プリズム２−１および２−２を幅方向に分割し、平面プリズム２−３および２−４のように配置角度の異なるものを組み合わせた他の実施例の断面図である。本図のように、平面プリズムの配置角度を組み合わせることによって、透視可能となる領域を改善することが可能となる。より多くの平面プリズムを組み合わせることによって、機能が広がることは論を待たない。また、それぞれの平面プリズムで偏光角を任意に選択することも可能である。
図５は、平面プリズム２−１もしくは２−２の代表的な構成を示すプリズム断面図である。透明な材料から構成された板７の表面に鋸歯状の凹凸８を設けることにより、薄い材料でありながら大型のプリズムを容易に製作することが可能となっており、鋸歯状の凹凸の形状を調節することによって偏光角を設定することが可能となる。
図６は、他の実施例のプリズム断面図である。鋸歯状の凹凸８は、平面プリズムの幅方向にその形状を変化させていることが特徴であり、これによって平面プリズムの偏光角を調整することが可能となり、本発明のコーナー透視具１に適用することによって、より優れた透視機能を確保することが可能となる。鋸歯状の凹凸を幅方向に変化させる技術そのものはフレネルレンズ等において採用されている事柄であり、技術的には確立されている。
なお、本図において反射鏡は平面鏡として表現したが、凹面鏡もしくは凸面鏡を用いることによって、視野を調節することも可能となる。
【図面の簡単な説明】
【０００７】
【図１】透視具設置状況図
【図２】基本構成図
【図３】代表例の断面図
【図４】他の実施例断面図
【図５】プリズム断面図
【図６】他の実施例のプリズム断面図
【符号の説明】
【０００８】  １・・・コーナー透視具
２−１、２−２、２−３、２−４・・・平面プリズム
３・・・反射鏡
４・・・通行人の眼
５・・・光の経路
７・・・透明な材料で構成された板
８・・・鋸歯状の凹凸
１０・・・コーナー
１１・・・通路
１２・・・固定具
１３・・・背面固定版
【図１】
2008225426.tif 000003
【図２】
2008225426.tif 000004
【図３】
2008225426.tif 000005
【図４】
2008225426.tif 000006
【図５】
2008225426.tif 000007
【図６】
2008225426.tif 000008
(57)【要約】【課題】Ｋｅｙ映像無しＦｉｌｌ映像を送出する際に、不体裁映像とならないＦｉｌｌ映像を送出することが可能な送出バンクシステムを提供する。【解決手段】ビデオサーバ１から出力されるＦｉｌｌ映像とＫｅｙ映像をマスタースイッチャ３で合成して送出する送出バンクシステムにおいて、ビデオサーバ１において、Ｋｅｙ映像が無いとき、黒味映像をマスタースイッチャ３へ出力し、マスタースイッチャ３で、Ｆｉｌｌ映像に、黒味映像を付加して出力することを特徴とする。【選択図】図１
2008005086.tif 000002
【特許請求の範囲】
【請求項１】
Ｆｉｌｌ映像とＫｅｙ映像を合成して送出する送出バンクシステムにおいて、
前記Ｋｅｙ映像が無いとき、前記Ｆｉｌｌ映像に、黒味映像を付加して出力することを特徴とする送出バンクシステム。
【発明の詳細な説明】
【技術分野】
【０００１】
本発明は、Ｆｉｌｌ映像とＫｅｙ映像ｌｌ映像を合成して送出する送出バンクシステムに関する。
【背景技術】
【０００２】
最近、Ｆｉｌｌ映像（例えば文字素材）にＫｅｙ映像（例えば文字枠素材）を合成したＫｅｙ映像付Ｆｉｌｌ映像を送出バンクシステムが、運用されつつある。
【０００３】
このような送出バンクシステムにおいては、Ｆｉｌｌ映像とそのＫｅｙ映像（図３の（ａ），（ｃ））と、Ｋｅｙ映像無しＦｉｌｌ映像（図３の（ｂ））を、ビデオサーバにファイリングした後、該ビデオサーバから読み出し、次段のマスタースイッチャにて、Ｆｉｌｌ映像とそのＫｅｙ映像をＫｅｙ映像付Ｆｉｌｌ映像にするとともに、Ｋｅｙ映像付Ｆｉｌｌ映像（図３の（ｄ），（ｆ））、Ｋｅｙ映像無しＦｉｌｌ映像（図３の（ｂ））を送出するが、Ｋｅｙ映像無しＦｉｌｌ映像（図３の（ｂ））を送出する際、その送出前のＫｅｙ映像付Ｆｉｌｌ映像（図３の（ｄ））におけるＫｅｙ映像が残っていると、このＫｅｙ映像がＫｅｙ映像無しＦｉｌｌ映像（図３の（ｂ））に付加されてしまうことにより、不体裁画像（図３の（ｅ））が送出されるという不都合が発生する。
【０００４】
このような送出バンクシステムの特許文献は見当たらないが、元素材をビデオサーバにファイリングして放送用の素材とした後、該ビデオサーバから読み出して送出する送出バンクシステムは、例えば特許文献１に開示されている。
【０００５】
【特許文献１】特開２００５−２１０４８９号公報
【発明の開示】
【発明が解決しようとする課題】
【０００６】
前述の従来の送出バンクシステムでは、Ｋｅｙ映像無しＦｉｌｌ映像（図３の（ｂ））を送出する際に、その送出前のＫｅｙ映像付Ｆｉｌｌ映像（図３の（ｄ））におけるＫｅｙ映像が残っていると、このＫｅｙ映像がＫｅｙ映像無しＦｉｌｌ映像に付加されてしまうことにより、図３の（ｅ）の通り、マスタースイッチャ出力映像が、不体裁映像となってしまう不都合が発生する。
【０００７】
本発明の目的は、前述の不都合を除去することにより、Ｋｅｙ映像無しＦｉｌｌ映像を送出する際に、不体裁映像とならないＦｉｌｌ映像を送出することが可能な送出バンクシステムを提供することにある。
【課題を解決するための手段】
【０００８】
本発明は、Ｆｉｌｌ映像とＫｅｙ映像を合成して送出する送出バンクシステムにおいて、前記Ｋｅｙ映像が無いとき、前記Ｆｉｌｌ映像に、黒味映像を付加して出力することを特徴とする。
【発明の効果】
【０００９】
本発明によれば、Ｋｅｙ映像無しＦｉｌｌ映像を送出する際に、不体裁映像とならないＦｉｌｌ映像を送出することが可能な送出バンクシステムを得ることができる。
【発明を実施するための最良の形態】
【００１０】
本発明に係る実施の形態について、図１〜図２を用いて説明する。
図１は、本発明による送出バンクシステムの実施の形態のシステム構成図である。図２は、本発明による送出バンクシステムの実施の形態を説明する図である。
【００１１】
図１において、１はビデオサーバであり、Ｆｉｌｌ映像とＫｅｙ映像などをファイリングする。このビデオサーバ１は黒味映像（レベル０の映像）を予め備えている。２は送出コントローラであり、ビデオサーバ１からＦｉｌｌ映像、Ｋｅｙ映像を出力させる装置である。この送出コントローラ２は、Ｆｉｌｌ映像とＫｅｙ映像などをビデオサーバ１に外部よりファイリングする際に、ファイリングするＦｉｌｌ映像がＫｅｙ映像有りかＫｅｙ映像無しかの連絡を受けている。３はマスタースイッチャであり、ビデオサーバ１から出力されるＦｉｌｌ映像とＫｅｙ映像などを加工して出力する装置である。４はＡＰＣ（自動番組送出制御装置）であり、送出コントローラ２及びマスタースイッチャ３を制御する装置である。
【００１２】
ＡＰＣ（自動番組送出制御装置）４より送出指令があったとき、送出コントローラ２はビデオサーバ１を制御して、Ｆｉｌｌ映像とそのＫｅｙ映像（図２の（ａ））、次にＫｅｙ映像無しＦｉｌｌ映像（図２の（ｂ））、次にＦｉｌｌ映像とそのＫｅｙ映像（図２の（ｃ））をビデオサーバ１から読み出して出力するのであるが、Ｋｅｙ映像無しＦｉｌｌ映像（図２の（ｂ））を読み出す際には、ビデオサーバ１に予め備えている黒味映像（レベル０の映像）をスタンバイ・再生して読み出し、出力する。
【００１３】
このことで、Ｋｅｙ映像無しＦｉｌｌ映像を送出する際、マスタースイッチャ３は、図２の（ｅ）の通り、マスタースイッチャ出力映像が、Ｆｉｌｌ映像に黒味映像（レベル０の映像）を付加した映像となるので、従来のように、その前のＫｅｙ映像付Ｆｉｌｌ映像（図２の（ａ））におけるＫｅｙ映像が付加された不体裁映像のＦｉｌｌ映像を送出することがない。
【００１４】
したがって本実施の形態によれば、Ｋｅｙ映像無しＦｉｌｌ映像を送出する際に、不体裁映像とならないＦｉｌｌ映像を送出することができる。
【図面の簡単な説明】
【００１５】
【図１】本発明による送出バンクシステムの実施の形態のシステム構成図である。
【図２】本発明による送出バンクシステムの実施の形態を説明する図である。
【図３】従来の送出バンクシステムを説明する図である。
【符号の説明】
【００１６】
１：ビデオサーバ、２：送出コントローラ、３：マスタースイッチャ、４：ＡＰＣ（自動番組送出制御装置）。
【図１】
2008005086.tif 000003
【図２】
2008005086.tif 000004
【図３】
2008005086.tif 000005
(57)【要約】      （修正有）【課題】異なる通信事業者を通してメールを送信した際、メールに含まれる絵文字が正しく表示されるようにした各通信事業者の絵文字表示及び絵文字送信プログラムを提供する。【解決手段】メール及び絵文字データを送信する機能と、各通信事業者によって定義された絵文字データを携帯端末のデータ記録媒体にデータを登録しておき、メールを送信する際、メールに含まれた送信先通信事業者の絵文字データを携帯端末のデータ記録媒体に登録された絵文字情報よりデータ変換を行いメールを送信する。【選択図】図１
2008005364.tif 000002
【特許請求の範囲】
【請求項１】
メール及び絵文字データを送信する送信機能と、前記メール及び絵文字データを表示する機能を備え、各通信事業者によって定義された絵文字の絵文字データを携帯端末のデータ記録媒体にデータを登録して保存する記憶手段と、送信側が異なる通信事業者の絵文字データを選択する制御手段を備えることを特徴とするプログラム。
【発明の詳細な説明】
【技術分野】
【０００１】
本発明は、各通信事業者の絵文字表示及び絵文字送信プログラムに関し、異なる通信事業者を通してメールを送信した際、メールに含まれる絵文字が受信側で絵文字が正しく表示されない為、送信側が受信側で表示可能な絵文字を表示し、メール送信を行えるプログラムに関する。
【背景技術】
【０００２】
携帯端末を代表するものに携帯電話機があるが、多機能化が進み、本来の電話機能の他に、メール機能、インターネット機能、カメラ機能、ＧＰＳ機能、ゲーム機能、クレジット機能等が付加され、様々な利用が可能となっている。その中のメール機能では、文字の他に、絵文字の送受信も可能になっている。
【発明の開示】
【発明が解決しようとする課題】
【０００３】
従来の携帯端末によると、異なる通信事業者に絵文字が入ったメールの送信を行うと、絵文字に関しては、通信事業者の相互間に互換性がない為、絵文字がある特定の文字に変換され送信されていた。その結果、受信側では、絵文字が空白表示や異なった文字等で表示されメール利用者に不便さを感じされることになる。したがって本発明の目的は、異なる通信事業者の絵文字を送信側で表示及び、メール送信できるプログラムを提供することにある。
【課題を解決するための手段】
【０００４】
メール及び絵文字データを送信する機能と、各通信事業者によって定義された絵文字データを携帯端末のデータ記録媒体にデータを登録しておき、メールを送信する際、メールに含まれた送信先通信事業者の絵文字データを携帯端末のデータ記録媒体に登録された絵文字情報よりデータ変換を行いメールを送信する。
【発明の効果】
【０００５】
以上より、本発明のプログラムから、各通信事業者によって定義された絵文字の絵文字データを携帯端末のデータ記録媒体にデータを登録する記憶手段と、受信先の通信事業者に合わせた絵文字データを表示する手段を設けたことにより、受信側はメールの絵文字を正しく表示されることが可能となり、送信者と受信者間のメールのやりとりがスムーズに行えるようになる。
【発明を実施するための最良の形態】
【０００６】
以下、本発明の実施の携帯を図面に基づいて説明する。図１は、本発明の送信側の携帯端末でのメール作成から受信側の携帯端末でのメール受信までの構成を示す。図１に示すように、絵文字送信プログラムは大きく、送信側の携帯端末での処理（以下、「処理１」と称する。）と、左記処理で送信されたメールの絵文字のコード変換を行う処理（以下、「処理２」と称する。）の２処理に分かれる。
「処理１」では、メール文表示画面（A001）、メール入力（A002）、入力文字表示処理（A003）、メール送信先通信事業者選択（A004）、絵文字データ取得処理（A005）、絵文字データ記憶媒体（A006）、メール送信（A007）、メール送信処理１（A008）の機能を備えている。
「処理２」では、メール受信処理（B001）、文字コード変換処理（B002）、メール送信処理２（B003）の機能を備えている。
「処理１」では、メール送信先通信事業者選択（A004）にて事前に送信先の通信事業者を選択し、送信可能な絵文字データを特定する。メール入力（A002）にて入力されたメール文を入力文字表示処理（A003）にてメール文表示画面（A001）に文字の表示を行う。その際、絵文字の入力が行われた場合は、絵文字データ取得処理（A005）にて絵文字データの取得を行う。メール送信（A007）にてメールの送信が行われた場合、メール送信処理（A008）にてメールサーバへメールの送信を行う。
「処理２」では、「処理１」のメール送信処理（A008）にて送信されたメールをメール受信処理（B001)にて受信を行い、文字コード変換処理（B002）にて絵文字データを送信先の通信事業者に合わせた絵文字の文字コードへ文字コード変換を行い、メール送信処理（B003）にて送信先の通信事業者へメールの送信を行う。その後、メール文表示画面（B004）では既存のメール受信画面にて絵文字が文字化けする事なくメールの内容が確認できる。
【図面の簡単な説明】
【０００７】
【図１】この発明の一実施形態を示す流れ図である。
【図１】
2008005364.tif 000003
(57)【要約】      （修正有）【課題】低気圧が発生した時点で、颱風、ハリケーン等に対して処置を行うことで、暴風雨による都市破壊の被害を無くす方法を提供する。【解決手段】航空母艦やオイルタンカーを海上の最も風の強いところに配置して、甲板の上に発電機を連動させた風車を設置し颱風とともに航空母艦、オイルタンカーを進行させ、風車の羽根の抵抗により颱風の力を失わせる風力減衰方法。一方、発電された電気は蓄電され、潜水艦、航空母艦、オイルタンカー等の航行に利用される。【選択図】なし【特許請求の範囲】
【請求項１】
颱風、ハリケーン等は低気圧が発生した時点で処置すれば、膨大な対策は必要無く比較的小規模な対策で防ぐ事が出來る。それは熱帯低気圧のうちに風力発電の仕事をさせ、低気圧のエネルギーを消費させれば好いのです。
低気圧の渦は洋上では平坦で抵抗が少く発達しやすいが、陸上では障害物が多い為、減衰します。此の性質を利用して、退役航空母艦やオイルタンカー等の大型船舶の甲板の上に、風向きに関係なく、同一方向に廻る看板の様な風車に高さ二米位の羽根を付け下に発電機を結合させ、林立させれば、初期の颱風にとっは相当な抵抗になり力を失なう。レーダーの誘導に依り颱風の進路が解るので、颱風の眼を挾んで前後に颱風の進行方行に一列に、風車を万載した航空母艦又はオイルタンカー二隻を、最も風の強い所に配置して、颱風と共に北上し風力のロスを謀る。此の様に海上に於いて移動抵抗体に依る嵐風力減衰方法。風は完全に止まらないが暴風による都市破壊の被害は無くなる
【請求項２】
大型船を電池駆動しようとすると改造費が大変で、とてつもなく不経済です。
潜水艦は電池駆動の上、畳の様に大きい極板の電池を持っています。
退役潜水艦を航空母艦やオイルタンカーの両脇に取り付け、電池駆動すれば経済的です。大型船電池駆動法は二隻の潜水艦を電池付船外機とし使う方法です。
【発明の詳細な説明】
【技術分野】
【０００１】本発明は毎年訪れる颱風の被害を無くす為のガイドラインである。
【背景技術】
【０００２】颱風は海上では発達し、陸上では抵抗が多いため減衰します。
【発明の開示】
【発明が解決しようとする課題】
【０００３】退役になった潜水艦、航空母艦やオイルタンカー等を用ひて風の抵抗体を作り、長時間行動を共にして減衰させ、被害を防止しする。
【課題を解決するための手段】
【０００４】成可く颱風になる前の熱帯低気圧の時期に直航して中に入り込めば楽に颱風に成長する事が出來ずに霧散して目的を達成する事が出來る。【０００５】其の為には熱帯低気圧の発生地域を予測して、時々刻々と変化する様子を本部と連絡を取りあって即座に現地に移動出來る様にする。【０００６】潜水艦を船外機状に電池駆動とした為燃料がかからず効率が良い。
【発明の効果】
【０００７】風車群に依る風の抵抗は大きく低気圧の移動に依り共に移動するので×時間となり予想以上の効果を上げる事が出來る。
【産業上の利用可能性】
【０００８】毎年やって來る颱風の被害に心配する事なく、仕事に精を出す事が出來る。又此の為の雇用も生れ地域産業も安定し活性化する。
(57)【要約】【課題】  雨の日外に出ず疲れずに、ペットの運動不足の解消を提供する。【解決手段】駆動モーター（１）の回転を伝達器（２）により、主軸（４）を回転させ輪のベルト（７）を回す。速度は調整器（３）を設ける。【選択図】図１
2008005819.tif 000002
【特許請求の範囲】
【請求項１】
輪のベルトの中に通す、主軸と回転軸の両端にベアリングを付け、金属の外枠に設け駆動モーターの回転が、伝達期を伝わりベルトが回転する電動式ペットルームランナー。
【請求項２】
ベルトの速さを変える速度調整器、保護作、安定台を設けた電動式ルームランナー。
【発明の詳細な説明】
【技術分野】
【０００１】本発明は、部屋の中で  ペットの運動不足を解消する、電動式ペットルームランナーに関するものである。
【背景技術】
【０００２】従来のペットの運動不足を解消するには、外で散歩をさせる不便さがあった。
【発明の開示】
【発明が解決しようとする課題】
【０００３】これには次のような問題点があった。
雨の日外に出られない、外に出るのがめんどくさく疲れる、時間がない。
本考案は、以上のような欠点をなくすためになされたものである。
【課題を解決するための手段】
【０００４】  駆動モーター（１）の回転を伝達器（２）により、主軸（４）を回転させ  輪のベルト（７）を回す。
以上の構成よりなる電動式ペットルームランナーである。
【発明の効果】
【０００５】  本発明を使用することによって、雨の日外に出る事なく、疲れずに時間を有効活用してペットの運動不足を解消させる。
【発明を実施するための最良の状態】
【０００６】以下、本発明の実施例について説明する。
輪のベルト（７）の中に通す主軸（４）と回転軸（５）の両端にベアリング（６）を付け、金属の外枠（８）に設け。
（８）の下に付けた、駆動モーター（１）の回転が伝達器（２）により（４）、（５）（７）を回す。
速さは、速度調整器（３）で調整。
（８）の上に保護作（９）と、下に安定台（１０）を取り付ける。
電源を入れると輪のベルト（７）が回り、ベルトの上に乗せられたペットは歩かないと、後ろに移動し保護作（９）にぶつかってしまうため、自然に歩くようになる。
本発明は、ペットをベルトの上に乗せて置くだけで、運動不足が解消される。
なお、保護作、外枠は硬質プラスチック出もよい。
【図面の簡単な説明】
【０００７】
【図１】  本発明の斜視図である。
【図２】  本発明の分解斜視図である。
【図３】  本発明の使用中の斜視図である。
【符号の説明】
【０００８】    （１）      駆動モーター
（２）      伝達器
（３）      速度調整器
（４）      主軸
（５）      回転軸
（６）      ベアリング
（７）      輪のベルト
（８）      金属の外枠
（９）      保護作
（１０）    安定台
【図１】
2008005819.tif 000003
【図２】
2008005819.tif 000004
【図３】
2008005819.tif 000005
(57)【要約】【課題】  この発明は、完全防水された夜釣り用の電池浮きを提供する。【解決手段】  くびれの入った栓にオーリングを巻き付け、釣り浮きの電池ケースの中へ挿入し手前に少し引き出して、オーリングを楕円形に変形させ、電池ケースと栓との隙間を密閉させることで海水の侵入をなくした夜釣り用の電池浮きである。【選択図】図１
2008005818.tif 000002
【特許請求の範囲】
【請求項１】
夜釣り用の電池浮きにおいて、栓の外周にくびれを設け、そのくびれにオーリングを巻き、完全防水する夜釣り用の電池浮き。
【発明の詳細な説明】
【技術分野】
【０００１】  この発明は、完全防水した夜釣り用の電池浮きに関するものである。
【背景技術】
【０００２】  従来、夜釣り用の電池浮きは、電池ケースの防水が不完全なため海水が浸水し、長時間の使用に耐えられなかった。
【発明の開示】
【発明が解決しようとする課題】
【０００３】  そのために、次のような問題点が生じていた。
（イ）電池浮きの買い替え経費がかかり過ぎ、釣り人たちは困っていた。
（ロ）その理由は、釣り浮きの電池ケースと栓との間を完全密閉し、海水の浸水を止める技術が開発されていなかった。
本発明は、以上の問題点を解決したものである。
【課題を解決するための手段】
【０００４】  夜釣り用の電池浮きにおいて、栓の外周にくびれを設け、そのくびれにオーリングを巻き、完全防水する夜釣り用の電池浮き。
以上の構成からなる完全防水した夜釣り用の電池浮きである。
【発明の効果】
【０００５】  したがって、電池浮きの中に海水が侵入しないのでボタン電池の寿命が延び、かつ電池交換も可能となり、釣り浮きの買い替え費用が軽くなった。
【発明を実施するための最良の形態】
【０００６】  以下、本発明の実施の形態について説明をする。
（イ）くびれ（３）を円状の栓（２）の外周全体に設け、そのくびれ（３）にオーリング（４）を巻き装着する。
（ロ）栓（２）の上部にステンレス製の極導板（５）を設け、電源にボタン電池（７）を複数配設して、極導板（５）とボタン電池（７）との間に金属製のスプリング（６）を設ける。
（ハ）ボタン電池（７）から点滅用ＩＣ（９）と発光体ＬＥＤ（１０）に配線し通電させる。
（ニ）ボタン電池（７）のショートを防ぐため、電池ケース（１）とボタン電池（７）との間に絶縁素材（８）で全体を覆うように設ける。
本発明は以上の構成からなる、夜釣り用の電池浮きである。以下使用法について説明する。
夜釣りをするとき電池浮きの電池ケース（１）に、くびれにオーリングを巻いた栓（２）を奥まで挿入するとスイッチされ、電池浮きが点滅する。栓（２）を手前に少し引き戻すとオーリング（４）が電池ケース（１）と栓（２）との隙間に入り込み、楕円形になって密着するので、電池ケース（１）と栓（２）との隙間が完全になくなる。このため海水が侵水せず、長時間夜釣りが楽しめる。
電池浮きに発光体ＬＥＤ（１０）を使うので、夜でも１００メートル以上先までも発光体の点滅が鮮明に識別でき、消費電力は１００時間以上も保ち続ける。ボタン電池（７）は軽量で従来より相当遠方まで釣り浮きを投げられる。
ボタン電池（７）の交換は、栓（２）を右回し左回しして、ジグザグ状態で引き出せばよく、何回でも交換ができる。
【図面の簡単な説明】
【０００７】
【図１】  本発明の要部図
【図２】  本発明の原理説明図
【図３】  本発明の栓を電池ケースに装着するときのオーリングの状態を示す説明図
【図４】  本発明のオーリングの変形状態を示す説明図
【符号の説明】
【０００８】    １は電池ケース
２は栓
３はくびれ
４はオーリング
５は極導板
６はスプリング
７はボタン電池
８は絶縁素材
９は点滅用ＩＣ
１０は発光体ＬＥＤ
【図１】
2008005818.tif 000003
【図２】
2008005818.tif 000004
【図３】
2008005818.tif 000005
【図４】
2008005818.tif 000006
(57)【要約】【目的】  従来のアナゴ小突き釣り仕掛は、潮の速い流れ・強い風や波に対応した重たい錘の全負荷を背負った状態で小突き、アナゴの微妙なあたりを感知しなければならない。潮の速い流れ・強い風や波に対応した重たい錘が必要な状態でもアナゴを誘う効果的な小突きが出来て、当りを感知しやすいアナゴ小突き釣り仕掛を考案する。【構成】錘を小突き用錘１と親錘２に２分割し、シンカーとしての錘の重さは小突き用錘１と親錘２の２個の合計の重さで果たす。小突きとアナゴの当りの感知は小突き用錘１により行う事で、潮の速い流れ・強い風や波の中で、効果的な小突きが出来、かつ微妙なアナゴの当りを感知し易くする。【選択図】図１
2008005822.tif 000002
【特許請求の範囲】
【請求項１】
錘を小突き用錘と親錘に２分割したアナゴ小突き釣り仕掛
【発明の詳細な説明】
【発明の詳細な説明】
【発明の属する技術】
【０００１】アナゴ小突き釣り仕掛の釣鐘状の重たい錘を大小２つに分け、小さい方の錘にアナゴ針を付け小突き用とし、小突きやすくまたアナゴの当りを感知し易くした、アナゴ小突き釣り仕掛に関するものである。
【背景技術】
【０００２】  アナゴ小突き釣り仕掛は、図３、図４、図５の様な小突き用の釣鐘状の錘の仕掛を、船上より１０〜２０ｍの深さの海底に投入し、この錘を海底から３〜５センチほど上下に微妙に小突いてアナゴを誘い餌に引き寄せて釣り上げる。アナゴは「餌取り名人」であり、餌に食いついても直ぐに針や仕掛を引っ張ったりしない為、小突きの過程やその後の聞き合わせで、重たい錘を背負った先の餌に就餌しようとしているアナゴの微妙な当りをいち早く感知し、合わせる必要がある。潮の流れが速い時、風や波の強い時には、潮・風・波にまけないように錘を２０号・２５号と重くする必要がある。錘が重たくなればなる程、潮・風・波の中で重たい錘を背負った針先の微妙なアナゴの当りを感知し難くなる。釣り上手の人・経験をつんだ人でもうまく小突き難く、当りを感知し難くなり、経験や勘を要求される難しい釣りである。
【発明が解決しようとする課題】
【０００３】  潮の速い流れ・強い風や波に対応した重たい錘が必要な状態でも、アナゴを誘う効果的な小突きが出来て、当りを感知しやすいアナゴ小突き釣り仕掛を考案する。
【課題を解決する為の手段】
【０００４】  錘を小突き用錘１と親錘２に２分割し、シンカーとしての錘の重さは小突き用錘１と親錘２の２個の合計の重さで果たす。小突きとアナゴの当りの感知は小突き用錘１により行う事で、潮の速い流れ・強い風や波の中で、効果的な小突きが出来、かつ微妙なアナゴの当りを感知し易くする。
【実施例】
【０００５】  図１の様に錘を小突き用錘１と親錘２のように２分割する。図１のように小突き用錘１を小突き上げても、親錘結束糸５で結束された錘１、錘２の錘負荷合計で潮の流れ・風や波の強さに対応出来る。小突き用錘１を図１のように小突き上げ図２のように着底させることで、潮の速い流れ・強い風や波の中でも効果的な小突きができる。また小突き用錘１の小さい錘負荷のおかげで聞き合わせの過程で微妙なアナゴの当りを感知し易くなる。
【発明の効果】
【０００６】  潮の速い流れ・風や波の中でも、小さい錘負荷の小突き用錘１で小突くことが出来ると同時に、アナゴの微妙な当りを感知し易くなる。又置き竿にした場合にも、従来のような重たい錘では動かない或いは動き難いのと比べて、小さい負荷の錘１に結束したアナゴ仕掛が、風や波による船のゆれで小突きと同じ動きをする為、効果的な誘いとなり、釣果に好結果をもたらす事が出来る。
【図面の簡単な説明】
【図１】錘を大小２分割したアナゴ仕掛を小突き上げた状態の図
【図２】錘を大小２分割した小突き用錘が着底した状態の図
【図３】従来のアナゴ仕掛の図
【図４】従来のアナゴ仕掛（両天秤仕掛）の図
【図５】従来のアナゴ仕掛（片天秤仕掛）の図
【符号の説明】
１  小突き用錘
２  親錘
３  三又サルカン
４  アナゴ針
５  親錘結束糸
６  ケミホタル
７  道糸
８  海底
【図１】
2008005822.tif 000003
【図２】
2008005822.tif 000004
【図３】
2008005822.tif 000005
【図４】
2008005822.tif 000006
【図５】
2008005822.tif 000007
(57)【要約】【課題】美味しいからし納豆を製造する事【解決手段】スパイスと麹菌の能力を利用しこの課題を解決した。【選択図】なし【特許請求の範囲】
【請求項１】
スパイスを利用した納豆
【請求項２】
麹菌を利用した納豆
【請求項３】
スパイス麹菌を利用した納豆
【発明の詳細な説明】
【技術分野】
【０００１】本発明は納豆菌の増殖を熱成スパイス麹菌で抑制しなおかつ美味しい納豆を製造するものである。
【背景技術】
【０００２】特願平１１−１８０４８１などがある
【発明の開示】
【発明が解決しようとする課題】
【０００３】従来のからし納豆の製造法でわ味に無理があった食品の命である味を課題とする
【課題を解決するための手段】
【０００４】スパイスを蒸気でむした後でむろに入れ薄く広げ種麹を振り掛け高温多湿でかびが全体に生じたら塩を混ぜ込んで数ヶ月間寝か
2008005826.tif 000002
納豆菌を抑制しながら長期間保存のきく美味からし納豆が出来た。
【発明の効果】
【０００５】本発明は納豆菌をスパイスと麹の二段構えで抑制し美味しいからし納豆が生れた。
【発明を実施するための最良の状態】
【０００６】熱成納豆は美味しが直に劣化する。スパイス麹菌は納豆菌に働きかけ長期間味を守る事で最良の状態する
【産業上の利用可能性】
【０００７】長期の保存が出来て無駄がないしかも美味しい食品に成るゆえ利用可能である。
(57)【要約】【課題】健康と美容に効果をもたらす栄養価の高い黒胡麻を配合し、従来のうどんの食感を損なわず、黒胡麻の風味を生かしながら、健康と美容に効果的なうどんの製造方法等の提供。【解決手段】小麦粉に、アミノ酸、亜鉛、必須脂肪酸、ビタミンＥを豊富に含む黒胡麻のすり胡麻を１０％と、黒胡麻のいり胡麻１％とを乾煎りした混合粉に、総重量の１０〜１５％のペーストに加水率４５〜４７％の塩水を加えたものとを混練りし、圧縮プレスしたのち、３０分熟成させてから打ち粉して、麺線状に切断し乾燥させたうどんの製造方法。【選択図】図１
2008005821.tif 000002
【特許請求の範囲】
【請求項１】
小麦粉に、黒胡麻のすり胡麻と、黒胡麻のいり胡麻とを混ぜ合わせて乾煎りでミキシングした混合粉と、塩水にペーストを加えてジューサーした混合水とを練り合わせて製麺する工程を含む、黒胡麻うどんの製造方法。
【請求項２】
前記混合粉に、塩水に総重量１０〜１５％のペーストを加えた混合水を使用する、請求項１に記載の製造方法。
【請求項３】
請求項１〜２のいずれか１項に記載の製造方法により製造された黒胡麻入りうどん。
【発明の詳細な説明】
【発明の詳細な説明】
【技術分野】
【０００１】本発明は、健康と美容に効果をもたらす黒胡麻とペーストを使用したうどんの製造方法、及び該製法により製造された黒胡麻入りうどんに関する。
【背景技術】
【０００２】近年うどん食材にも健康を考慮する需要が増加したため、製造過程で栄養価の高い野菜を混合する方法として、人参、カボチャ、ピーマンの３種類を混合した特開２０００−２６２２３３及び発芽玄米の加工粉末を使用した特開２００４−１９４５４３などの提案があるが、アミノ酸、亜鉛、必須脂肪酸、ビタミンＥが同時に補えるうどんについては未だない。
【発明が解決しようとする課題】
【０００３】本発明者は、小麦粉に健康と美容に効果があり、更年期障害や、生理痛及び生理不順の改善、中性脂肪を抑制するなどの栄養価を含む黒胡麻を混合する方法を考案した。しかし、小麦粉のデリケートな性質上、黒胡麻をそのまま混合すると、プチプチとうどんが切れて、従来のうどんのつるつるした食感が損なわれてしまう。本発明の課題は、うどん本来の食感を損なわず、又黒胡麻独特の風味も味わえる黒胡麻入りうどんの製造方法、及びそのように製造された黒胡麻うどんを提供することにある。
【課題を解決するための手段】
【０００４】本発明は、以上の問題を解決するため黒胡麻とペーストを混合することを研究し、様々な種類の黒胡麻の配合を行ない、ペーストを製麺工程過程においてどのように練りこませるかを試みた。その研究の結果、小麦粉に対して黒胡麻のすり胡麻１０％と、黒胡麻のいり胡麻１％とを小麦粉に乾煎りでミキシングした混合粉と加水率４５〜４７％の塩水にペースト総重量１０〜１５％を加えた混合水とを練り合わせて粗製帯をつくり、圧縮プレスしたのち３０分熟成させ、打ち粉して麺棒状に切断し半生状に乾燥させる製造方法を、見出し本発明を完成させた。
【発明を実施するための最良の形態】
【０００５】発明の実施の形態を、実施例にもとづき図面を参照して説明する。図１において、小麦粉に黒胡麻のすり胡麻と、黒胡麻のいり胡麻を、乾煎りでミキシングして混合粉を作る。この際の黒胡麻のすり胡麻は小麦粉に対して１０〜１５％が適量で、１０％未満では黒胡麻の栄養成分が不足し、１５％を超えると、うどん本来の味が損なわれてしまう。また、黒胡麻のいり胡麻は、小麦粉に対して１％が適量であり、１％未満では、胡麻の食感の粒粒した歯ざわりが無く、１％を超えた配合をすると、うどん生地に傷が入りすぎて、コシが弱まり、プチプチと麺が切れてしまう。【０００６】次いで、加水率４５〜４７％の塩水にペーストを加えてジューサーにかけて混合水にする。この際のペースト使用量は総重量に対して１０〜１５％が適量である。１０％未満の場合は、黒胡麻うどんとしての独自性がある見た目にも美しいグレーの色目が薄すぎる。１５％を超えると小麦粉の量が少なくなり過ぎて、うどん本来のコシや粘りが悪くなる。また、見た目の色目は、１５％以上を超えた配合からは、ほとんど変化が無くなる。【０００７】上記のようにして得られた混合粉と混合水とを練り合わせて、粗製帯のうどん生地をつくる。これに圧縮プレスを３０秒したのち、３０分熟成させてから打ち粉をして麺棒状に切断し、半生状に乾燥させて半生うどんを完成させる。
【発明の効果】
【０００８】従来の小麦粉のみで作るうどんに比べて、製麺過程で黒胡麻とペーストを加えることにより、黒胡麻に含まれる栄養素であるアミノ酸が女性ホルモンの分泌の受け渡しをし、また亜鉛は酸素の働きを活発にする作用を促し、更に必須脂肪酸は身体には必要不可欠でありながら、体内では合成できない成分を含み、ビタミンＥは老化防止、コレステロール、中性脂肪を抑制する効果があり、しわを防ぐなど優れた健康食品となる。
【０００９】また製麺加工に許される範囲で黒胡麻とペーストを加えたことにより、黒胡麻の風味を生かしながらも、従来のうどんのモチモチした食感でコシがある美味しい食品であり、同時に美肌・更年期障害・生理痛及び生理不順等の改善効果がある健康と美容によいという利点をもつ。
【００１０】従来のうどんにはない、風味があり、見た目にも美しく他のうどんと差別化された独自の麺であり、健康増進効果も期待できる。
【図面の簡単な説明】
【００１１】
【図１】この発明の製造工程を示すフローチャートである。
【図１】
2008005821.tif 000003
(57)【要約】      （修正有）【課題】短縮型アンテナの欠点である利得低減を、正帰還によって利得を増大させアンテナの性能を飛躍的に向上させる。【解決手段】アンテナエレメント２及び３の近くに導体４及び７を設置しエレメントとの間のキャパシタンスを利用してエレメントに発生した電界エネルギーを捕捉し、かつリアクタンス成分キャンセル用コイル５及び６を設置することにより、非常に効率よく正帰還が働くようにした。【選択図】図１
2008005451.tif 000002
【特許請求の範囲】
【請求項１】
アンテナの利得向上を目的とする技術に於いて、アンテナ・エレメントより輻射される電界を補足する導体（４）、（７）とコイル（５）、（６）を設置しこのエネルギーの電圧、電流の位相と給電電力の電圧、電流との位相を一致させるように帰還させることにより非常に利得向上を実現出来ることを特徴とする。
【発明の詳細な説明】
【発明の詳細な説明】
【０００１】
【技術分野】
【０００２】この発明は主に短縮されたアンテナの利得向上を実現する技術に関する。
【背景技術】
【０００３】アンテナから輻射される電磁界を捕捉しそのエネルギーを給電点に給電エネルギーと同位相で帰還させると大幅な利得向上が実現出来ることが発見された。間接的に電磁界の位相が一致する部分を増大させる効果があり利得向上が計れる。本考案はこの現象を実際のアンテナにて具体化するものである。
【発明の開示】
【０００４】
【発明が解決しようとする課題】
【０００５】
【０００６】従来より短縮アンテナ利得向上法が考案されているが特に短縮率が大きいと利得の低下が著しく実用的でなくなる。この問題が本発明で解決しようとする課題である。
【課題を解決するための手段】
【００１０】
【００１１】請求項１の導体４及び５はアンテナエレメントの近くに位置し、エレメントとの間のキャパシタンスを利用してエレメントに発生した電界を捕捉する。この導体と給電点に接続しても利得の向上を計ることができるが十分とは言えない。これで得られる利得向上は数ｄＢ程度である。
【００１２】そこでコイル５及び６を挿入するとリアクタンスがうち消され電界捕捉用導体に誘起された電圧による電流が障害なく流れることになる。給電用同軸ケーブルの被覆から見た導体１２での電圧位相と導体１６での電圧位相は一致している。同様に導体１３での電圧位相と導体１７での電圧位相は一致している。この時の利得向上は２０ｄＢにも達することが実験的に確かめられている。
【００１３】もともと非常に短縮されたアンテナに適応するものなのでほぼ短縮されていない半波長ダイポールアンテナの利得並になったものと考えられる。
【発明の効果】
【００１４】
【００１５】とりわけ短縮された小型アンテナの効率を向上させ短縮されていない大型アンテナと同等の性能に出来ること。
【発明を実施するための最良の形態】
【００１６】以下、本発明の第１実施の形態に係るアンテナ利得向上機構１を、図１及至図２り説明する。図１は実施例の典型である。導体２、コイル１、導体３は短縮されたダイポールアンテナを構成する。【００１７】短縮されたアンテナの輻射インピーダンスは短縮されていないアンテナに比し非常に小さく効率の低下をまねくものである。なぜならコイル２のＱに限りがあるため供給電力のうち多くがコイル１に消費されてしまうからである。【００１８】そこで導体４及び５を設置し導体２及び導体４間及び導体３及び導体５にキャパシタンスを形成させるとこの間に電界が生じることになる。さらにコイル５及び６により回路の容量性リアクタンスを相殺させると導体４、コイル５、コイル１、導体１５また導体７、コイル６、コイル１、導体１４導体２とで形成される閉回路に最大電流が流れることになる。【００１９】給電用同軸ケーブル１１の外皮又は心線から見た導体１２に印加される位相と導体１６に印加される電圧の位相が一致されるようにコイル５、６のインダクタンスが調整されている。この位相一致が起きるのはダイポール・アンテナの共振周波数と同じ周波数で駆動した場合である。【００２０】この機構によりアンテナ輻射インピーダンスが大幅に大きくなり効率が非常に高くなる。実験ではこの利得の向上は２０ｄＢにも達する。ほぼ短縮されていないダイポールアンテナに匹敵する程の利得となる結果を得た。【００２１】給電用同軸ケーブル１１より供給された高周波電力は１２のバランに伝達され平衡電力となる。この電力は導体１２、コンデンサ８及び導体１３、コンデンサ９を通して導体４、７へ供給される。更にコイル５、６を介して短縮ダイポール・アンテナの共振コイルへと供給される。【００２２】コンデサ８，９は主にコイル５，６による誘導性リアクタンスを相殺するために必要なものである。【００２３】このように構成されたアンテナで調整が完全であれば、１１の給電用同軸ケーブルの被覆から見た導体１２での電圧位相と導体１６での電圧位相は一致している。同様に導体１３での電圧位相と導体１７での電圧位相は一致している。導体１６，１７には導体１２，１３での電圧に比し高い電圧となる。このことからコイル１の中立点である電力供給点には正帰還された高周波電力が供給されることになる。【００２４】アンテナエレメント２及び３は通常波長の１／１００から１／２００程度の大きさで薄い銅板等を丸く曲げて作る。電界捕捉導体４及び７も同様である。アンテナの短縮率が大きくなくエレメント長が長い場合には細いアルミニューム・パイプやワイヤでもよい。【００２５】アンテナエレメント２から３に至るまで直線上に配列させるのがつくりやすい。これらの支持には塩化ビニール製パイプ等の樹脂製をつかう。【００２６】コンデンサ７は高周波電力用コンデンサを使う。マイカコンデンサやチタンコンデンサが適当である。【００２７】コイルは直径２ｍｍ程度の太さのエナメル線を捲いた物を使う。【００２８】図２は第２実施例である。不平衡型の典型例である。短縮ダイポール・アンテナのエレメント片側３のみの近傍に導体４を設置したものである。この形態はアンテナの垂直設置を容易に可能にすることを目的にしたものである。動作は実施例１と変わらないがアンテナ内部の給電用同軸ケーブルの存在による位相のずれのため完全な調整が困難な場合があり得る。【００２９】また給電用同軸ケーブル１１の芯線と被覆側を反対にしてもよい。
【図面の簡単な説明】
【００３０】
【図１】実施例１を示す構成図
【図２】実施例２を示す構成図
【符号の説明】
【００３１】１  短縮ダイポール・アンテナ用共振コイル２  短縮ダイポール・アンテナ用エレメント３  短縮ダイポール・アンテナ用エレメント４  電界捕捉用導体５  帰還部リアクタンス相殺用コイル６  帰還部リアクタンス相殺用コイル７  電界捕捉用導体８  給電部リアクタンス相殺用コンデンサ９  給電部リアクタンス相殺用コンデンサ１０  バラン１１  給電用同軸ケーブル１２  給電用導体１３  給電用導体１４  短縮ダイポール・アンテナ用ワイヤエレメント１５  短縮ダイポール・アンテナ用ワイヤエレメント１６  短縮ダイポール・アンテナ用給電導体１７  短縮ダイポール・アンテナ用給電導体１８  アンテナ内部用給電同軸ケーブル
【図１】
2008005451.tif 000003
【図２】
2008005451.tif 000004
(57)【要約】【課題】釣り糸に容易に着脱することができ、交換や取り外しを簡単、かつ確実に行なうことが可能で、しかも軽量、小型な部品である。【解決手段】  釣り用具５１は、釣り糸に着脱自在の釣り用具であり、弾性部材で形成された部材本体５２と、部材本体５２の先端部５２ａを屈曲して形成した曲げ部５２ｂとを有し、曲げ部５２ｂは、部材本体５２に弾性押圧した接触部５２ｂ１を有する。  【選択図】図１
2008005775.tif 000002
【特許請求の範囲】
【請求項１】
釣り糸に着脱自在の釣り用具であり、
弾性部材で形成された部材本体と、
前記部材本体の先端部を屈曲して形成した曲げ部とを有し、
前記曲げ部は、前記部材本体に弾性押圧した接触部を有することを特徴とする釣り用具。
【発明の詳細な説明】
【技術分野】
【０００１】
この発明は、海釣りや川釣りに用いられる釣り用具に関するものである。
【背景技術】
【０００２】
海釣りや川釣りに用いられる釣り用具として、例えば、錘や浮木、あるいは針外しなどがある。従来の針外しには、先端が螺旋状のもの等があり、その中でも、魚を傷つけず簡易に針を外すことができることから先端側面に切り込みの入った針外しが広く釣り人に愛用されている（特許文献１）。
【特許文献１】特開２００２-２１８８９２号公報
【発明の開示】
【発明が解決しようとする課題】
【０００３】
ところで、特許文献１の針外しは大型であり、例えば小さいタナゴ針を使ったときの、細密作業をようする針外しには使用することができなかった。また、従来の遊動浮木や遊動錘などの釣り用具では、取り外しが面倒で遊動浮木や遊動錘の交換に手数を要していた。
【０００４】
この発明は、かかる点に鑑みてなされたもので、釣り糸に容易に着脱することができ、交換や取り外しを簡単、かつ確実に行なうことが可能で、しかも軽量、小型な部品である釣り用具を提供することを目的としている。
【課題を解決するための手段】
【０００５】
前記課題を解決し、かつ目的を達成するために、この発明は、以下のように構成されている。
【０００６】
請求項１に記載の発明は、
釣り糸に着脱自在の釣り用具であり、
弾性部材で形成された部材本体と、
前記部材本体の先端部を屈曲して形成した曲げ部とを有し、
前記曲げ部は、前記部材本体に弾性押圧した接触部を有することを特徴とする釣り用具である。
【発明の効果】
【０００７】
前記構成により、この発明は、以下のような効果を有する。
【０００８】
請求項１に記載の発明では、部材本体の先端部を屈曲して形成した曲げ部は、部材本体に弾性押圧した接触部を有し、釣り用具の接触部から釣り糸に容易に着脱することができる。
【発明を実施するための最良の形態】
【０００９】
以下、この発明の釣り用具の実施の形態について説明するが、この発明の実施の形態は、発明の最も好ましい形態を示すものであり、この発明はこれに限定されない。
【００１０】
まず、釣り用具について、図１乃至図５に基づいて説明する。図１は釣り用具の正面図、図２は釣り用具の側面図、図３は釣り用具を釣り糸に付ける状態を示す図、図４は釣り用具をタナゴ針の針外しに使用した例を示す図である。
【００１１】
この実施の形態の釣り用具５１は、釣り糸５３に着脱自在の部材であり、タナゴ針の針外しに使用した例を示しており、弾性の強い金属又は樹脂で形成される。釣り用具５１は、部材本体５２の先端部５２ａを屈曲して曲げ部５２ｂを形成し、この曲げ部５２ｂの先端を先端部５２ａに弾性押圧した接触部５２ｂ１を有する。
【００１２】
この釣り用具５１は、図３に示すように、取り付ける場合は、部材本体５２の先端部５２ａを釣り糸５３に引っかけるだけで、部材本体５２の接触部５２ｂ１に釣り糸５３が引っかかる。この部材本体５２をさらに引くと、接触部５２ｂ１が弾性変形して隙間が生じて接触部５２ｂ１から釣り糸５３を通し、これにより釣り糸５３が曲げ部５２ｂに取り付けられる。
【００１３】
釣り用具５１を釣り糸５３から外す時は、曲げ部５２ｂの釣り糸５３を回すだけで、部材本体５２の接触部５２ｂ１に釣り糸５３が引っかかり、接触部５２ｂ１が弾性変形して隙間が生じて接触部５２ｂ１から釣り糸５３を通して外すことができる。このように、釣り用具５１の部材本体５２の接触部５２ｂ１から釣り糸５３を通して着脱することで、釣り用具５１を釣り糸５３に容易に着脱することができる。
【００１４】
次に、この釣り用具５１の使用状態を、図４に基づいて説明する。タナゴ針６０を釣り魚６１が飲込んで口内深くに引っ掛かったとき、釣り人は釣り魚６１を掴み釣り糸５３を張る。例えば、釣り人は釣り糸５３を口にくわえて張り、釣り糸５３に釣り用具５１の曲げ部５２ｂをあてがって、釣り糸５３を曲げ部５２ｂに導くと、接触部５２ｂ１が弾性変形して隙間が生じて接触部５２ｂ１から釣り糸５３を通すことができる。
【００１５】
釣り用具５１の曲げ部５２ｂに一旦入った釣り糸５３は曲げ部５２ｂから外れないから、釣り用具５１の曲げ部５２ｂを釣り魚６１の口内に導入し、タナゴ針６０を捕捉したまま釣り用具５１の曲げ部５２ｂを押し込むことで釣り魚の口内に引っ掛かったタナゴ針６０を簡単な操作で迅速に取外し、タナゴ針６０を捕捉したまま釣り用具５１の曲げ部５２ｂを口内から引き出すことができる。このように、微小なタナゴ針６０の針外しは、細密な作業であるが、釣り用具５１を用いて簡単、かつ確実に行なうことができる。この実施の形態では、釣り用具５１の曲げ部５２ｂが、円形状に曲げて形成されているが、これに限定されず、長丸、三角、菱形等の形状であってもよい。
【００１６】
この釣り用具５１は、タナゴ針の釣り針外しに限定されず、小鮒などの釣外しに用いることができ、また図５に示すように遊動浮木の足部に適用することができ、さらに遊動おもりなどにも用いることができ、大きさは使用する釣り糸５３の大きさに合わせる。この釣り用具５１は、特に、動浮木、遊動おもりに用いると、その交換に便利であると共に、小型、軽量である。
【産業上の利用可能性】
【００１７】
この発明は、海釣りや川釣りに用いられる釣り用具に適用でき、釣り糸に容易に着脱することができ、交換や取り外しを簡単、かつ確実に行なうことが可能で、しかも軽量、小型な部品である。
【図面の簡単な説明】
【００１８】
【図１】釣り用具の正面図である。
【図２】釣り用具の側面図である。
【図３】釣り用具を釣り糸に付ける状態を示す図である。
【図４】釣り用具の使用状態を示す図である。
【図５】他の実施の形態の釣り用具を示す図である。
【符号の説明】
【００１９】
５１  釣り用具
５２  部材本体
５２ａ  先端部
５２ｂ  曲げ部
５２ｂ１  接触部
【図１】
2008005775.tif 000003
【図２】
2008005775.tif 000004
【図３】
2008005775.tif 000005
【図４】
2008005775.tif 000006
【図５】
2008005775.tif 000007